(57)【要約】  レンズとフレームとの間の経路を提供することによって、及び／又は平滑な前方輪郭を提供することによって、受動的通気を提供して、レンズの前面上で空気の層流を可能にするように構成されている、アイウェアなどの頭部装着支持体の例が、本明細書に提供される。アイウェアのフレーム及びレンズを通る経路は、装着者の眼に直通経路を提供しないように構成され得る。本明細書に提供される頭部装着支持体は、通気を提供する一方で、不必要な光、粒子、若しくは他の破片を減少させるか、又はそれらが使用者の眼と接触することを防止し得る。頭部装着支持体はまた、優れた弾道性能を示すように構成され得る。
2019500068.tif 000002
【特許請求の範囲】
【請求項１】
頭部装着支持体であって、
装着されるときに使用者の顔に隣接する後面、及び前記後面とは反対側の前面を有するレンズと、
前記レンズと接触するように構成されている複数の接触点を備えるフレームと、
前記フレームに取り付けられる保持アセンブリであって、前記レンズが前記複数の接触点において前記フレームと接触するように、前記フレームに前記レンズを留め付けるように構成されている、保持アセンブリと、を備え、
前記レンズが前記頭部装着支持体において留め付けられるとき、前記レンズの上縁及び前記フレームの下縁が、接触点の間で離間されて、前記レンズの通気を可能にし、前記フレームから離間されている前記上縁の連続弦全長が、前記レンズの前記上縁の前記弦全長の少なくとも２０％であり、
接触点間の前記レンズの後面が、前記レンズの前記後面の後方延伸部を越えて突出距離分延伸し、前記突出距離が、約４ｍｍ以下である、頭部装着支持体。
【請求項２】
前記接触点のうちの１つ以上は、前記レンズが前記頭部装着支持体において留め付けられるときに、前記レンズを構造的に支持するように構成されている取り付け点を備える、請求項１に記載の頭部装着支持体。
【請求項３】
前記フレームから離間されている前記上縁の前記連続弦全長が、前記レンズの前記上縁の前記弦全長の少なくとも５０％である、請求項１及び２のいずれか一項に記載の頭部装着支持体。
【請求項４】
前記フレームから離間されている前記上縁の前記連続弦全長が、前記レンズの前記上縁の前記弦全長の８０％以下である、請求項３に記載の頭部装着支持体。
【請求項５】
前記突出距離が、０以下である、請求項１〜４のいずれか一項に記載の頭部装着支持体。
【請求項６】
前記突出距離が、前記レンズの中心厚さの３．２倍以下である、請求項１〜４のいずれか一項に記載の頭部装着支持体。
【請求項７】
装着されるときに、前記レンズの前記上縁と前記フレームの前記下縁との間で前記使用者の眼からの直通経路がない、請求項１〜６のいずれか一項に記載の頭部装着支持体。
【請求項８】
前記後方延伸部が、前記レンズの前記上縁の前記弦全長の少なくとも半分の上方で前記フレームと交差しない、請求項１〜７のいずれか一項に記載の頭部装着支持体。
【請求項９】
装着されるときに、使用者の眼から前記フレームの縁への視角が約４８度以上である、請求項１〜８のいずれか一項に記載の頭部装着支持体。
【請求項１０】
通気角が、水平線上で０度よりも大きい、請求項１〜９のいずれか一項に記載の頭部装着支持体。
【請求項１１】
前記頭部装着支持体が真っ直ぐ見られるとき、接触点の間の前記レンズの前記上縁と前記フレームの前記下縁との間の間隙が視認可能でないように、前記フレームの前面及び前記レンズの前記上縁によって形成される通気角が０以上である、請求項１〜９のいずれか一項に記載の頭部装着支持体。  
【請求項１２】
前記頭部装着支持体が、少なくとも約１５０フィート／秒の速度を有する０．２５インチボールの弾道衝撃に耐えるように構成されている、請求項１〜１１のいずれか一項に記載の頭部装着支持体。
【請求項１３】
前記頭部装着支持体が、少なくとも約６４０フィート／秒の速度を有する、０．１５口径の円筒状面取り縁片の弾道衝撃に耐えるように構成されている、請求項１〜１２のいずれか一項に記載の頭部装着支持体。
【請求項１４】
前記レンズの下縁が前記フレームと接触しない、請求項１〜１３のいずれか一項に記載の頭部装着支持体。
【請求項１５】
前記レンズが、前記頭部装着支持体に加えて、ゴーグルにおいて留め付けられるように構成されており、前記ゴーグルが、
装着者の視野において前記レンズを支持するように適合されているレンズ支持体であって、前記レンズを受容し、かつ適所に前記レンズを留め付けるように構成されているチャネルを有する、レンズ支持体と、
前記レンズ支持体の前面に取り付けられる肉盛層であって、使用中に前記装着者の頭部に押し付けられるように構成されている、肉盛層と、を備える、請求項１〜１４のいずれか一項に記載の頭部装着支持体。
【請求項１６】
前記頭部装着支持体が、前記フレームに取り付けられる少なくとも１つのつるを備える眼鏡である、請求項１〜１５のいずれか一項に記載の頭部装着支持体。
【請求項１７】
前記保持アセンブリは、前記少なくとも１つのつるが前記フレームの後で折り畳まれるとき、前記少なくとも１つのつるから独立して作動可能であるように構成されているドアを備える、請求項１６に記載の頭部装着支持体。
【請求項１８】
前記保持アセンブリは、前記保持アセンブリが前記フレームに前記レンズを留め付けるとき、係止受け部を通して前記保持アセンブリに挿入されるように構成されている突出部を更に備える、請求項１７に記載の頭部装着支持体。
【請求項１９】
前記つるが前記フレームの後の折り畳まれた位置から延伸位置まで移行するとき、前記保持アセンブリの前記ドアは、開放から閉鎖まで移行して、前記フレームに前記レンズを留め付けるように構成されている、請求項１７に記載の頭部装着支持体。
【請求項２０】
前記レンズの反対側の側縁に取り付けるように構成されている少なくとも２つの取り付け点を更に備える、請求項１〜１９のいずれか一項に記載の頭部装着支持体。
【請求項２１】
前記フレームの中点において取り付け点を更に備える、請求項１〜２０のいずれか一項に記載の頭部装着支持体。
【請求項２２】
前記フレームによって形成される２つの側壁の間に形成される開口部を備える取り付け点を更に備える、請求項１〜２１のいずれか一項に記載の頭部装着支持体。
【請求項２３】
頭部装着支持体であって、
レンズと、
前記レンズと接触するように構成されている１つ以上の接触点を備えるフレームであって、前記レンズを装着者の視線に位置付けるように構成されている、フレームと、
前記フレームに取り付けられる保持アセンブリであって、前記レンズが前記複数の接触点において前記フレームと接触するように、前記フレームに前記レンズを留め付けるよう
に構成されている、保持アセンブリと、を備え、
前記レンズが前記頭部装着支持体において留め付けられるとき、前記レンズの上縁及び前記フレームの下縁が、接触点の間で離間されて、前記レンズの通気を可能にし、
前記頭部装着支持体が真っ直ぐ見られるとき、接触点の間の前記レンズの前記上縁と前記フレームの前記下縁との間の間隙が視認可能でないように、前記フレームの前面及び前記レンズの前記上縁によって形成される通気角が０以上である、頭部装着支持体。
【請求項２４】
前記頭部装着支持体が、前記フレームにヒンジ式に取り付けられるつるを備える眼鏡であり、前記保持アセンブリが、前記フレーム及び前記つるに取り付けられる、請求項２３に記載の頭部装着支持体。
【請求項２５】
前記保持アセンブリは、前記少なくとも１つのつるが前記フレームの後で折り畳まれるとき、前記少なくとも１つのつるから独立して作動可能であるように構成されているドアを備える、請求項２４に記載の頭部装着支持体。
【請求項２６】
前記保持アセンブリは、前記保持アセンブリが前記フレームに前記レンズを留め付けるとき、係止受け部を通して前記保持アセンブリに挿入されるように構成されている突出部を更に備える、請求項２５に記載の頭部装着支持体。
【請求項２７】
前記つるが前記フレームの後の折り畳まれた位置から延伸位置まで移行するとき、前記保持アセンブリの前記ドアは、開放から閉鎖まで移行して、前記フレームに前記レンズを留め付けるように構成されている、請求項２５に記載の頭部装着支持体。
【請求項２８】
前記レンズの反対側の側縁に取り付けるように構成されている少なくとも２つの取り付け点を更に備える、請求項２３〜２７のいずれか一項に記載の頭部装着支持体。
【請求項２９】
前記フレームの中点において取り付け点を更に備える、請求項２３〜２８のいずれか一項に記載の頭部装着支持体。
【請求項３０】
前記フレームによって形成される２つの側壁の間に形成される開口部を備える取り付け点を更に備える、請求項２３〜２９のいずれか一項に記載の頭部装着支持体。
【請求項３１】
頭部装着支持体キットであって、
レンズと、
第１のフレームであって、
前記レンズを受容するように適合されている第１のレンズ支持体を備える、第１のフレームと、
第２のフレームであって、
装着者の視野において前記レンズを支持するように適合されている第２のレンズ支持体であって、前記レンズを受容し、かつ適所に前記レンズを留め付けるように構成されているチャネルを有する第２のレンズ支持体を備える、第２のフレームと、を備え、
前記レンズが、前記第１のフレーム及び前記第２のフレームによって代替的に支持されるように構成されているように、前記レンズが、前記第１のフレームと前記第２のフレームとの間で相互交換可能である、頭部装着支持体キット。
【請求項３２】
前記第１のフレームが眼鏡フレームであり、前記第１のレンズ支持体が眼鏡レンズ支持体であり、前記眼鏡フレームが、前記眼鏡レンズ支持体に取り付けられるつるを備え、
前記第２のフレームがゴーグルフレームであり、前記ゴーグルフレームが、前記第２のレンズ支持体の後面に取り付けられる肉盛層を備え、前記肉盛層が、使用中に前記装着者の頭部に押し付けられるように構成されている、請求項３１に記載の頭部装着支持体キッ
ト。
【請求項３３】
前記第１のフレームは、ユニタリーレンズが前記第１のフレームに留め付けられるときに、前記ユニタリーレンズと接触するように構成されている１つ以上の接触点を更に備える、請求項３１又は３２に記載の頭部装着支持体キット。
【請求項３４】
２つ以上の接触点の間で、前記第１のフレームの後面が、前記レンズの後面の後方延伸部を越えて後方に突出距離分延伸し、前記突出距離が、約４ｍｍ以下である、請求項３３に記載の頭部装着支持体キット。
【請求項３５】
前記レンズが前記第１のフレームに留め付けられるとき、前記レンズの前記上縁及び前記第１のレンズ支持体の下縁が、２つ以上の接触点の間で離間されて、前記レンズの通気を可能にする、請求項３４に記載の頭部装着支持体キット。
【請求項３６】
前記フレームから離間されている前記上縁の弦全長が、前記レンズの前記上縁の弦全長の少なくとも２０％である、請求項３５に記載の頭部装着支持体キット。
【請求項３７】
前記第１のフレームが真っ直ぐ見られるとき、接触点の間の前記レンズの前記上縁と前記フレームの前記下縁との間の間隙が視認可能でないように、前記レンズが前記第１のフレームに留め付けられるとき、前記フレームの前面及び前記レンズの上縁によって形成される通気角が０以上である、請求項３３〜３５のいずれか一項に記載の頭部装着支持体キット。
【請求項３８】
前記第１のフレームに留め付けられる前記レンズ又は前記第２のフレームに留め付けられる前記レンズを備える頭部装着支持体が、少なくとも約１５０フィート／秒の速度を有する０．２５インチボールの弾道衝撃に耐えるように構成されている、請求項３１〜２７のいずれか一項に記載の頭部装着支持体キット。
【請求項３９】
前記第１のフレームに留め付けられる前記レンズ又は前記第２のフレームに留め付けられる前記レンズを備える頭部装着支持体が、少なくとも約６４０フィート／秒の速度を有する、０．１５口径の円筒状面取り縁片の弾道衝撃に耐えるように構成されている、請求項３１〜３８のいずれか一項に記載の頭部装着支持体キット。
【請求項４０】
２つ以上の接触点の間で、前記第１のフレームの後面が、前記レンズの後面の後方延伸部を越えて後方に突出距離分延伸し、前記突出距離が前記レンズの中心厚さの３．２倍以下である、請求項３３〜３９のいずれか一項に記載の頭部装着支持体キット。
【請求項４１】
２つ以上の接触点の間で、前記第１のフレームの後面が、前記レンズの後面の後方延伸部を越えて後方に突出距離分延伸し、前記突出距離が前記レンズの前記中心厚さ以下である、請求項４０に記載の頭部装着支持体キット。
【請求項４２】
前記レンズが、ユニタリーレンズを備える、請求項３１〜４１のいずれか一項に記載の頭部装着支持体キット。
【発明の詳細な説明】
【技術分野】
【０００１】
（関連出願の相互参照）
本出願は、「ＥＹＥＷＥＡＲ  ＷＩＴＨ  ＰＡＳＳＩＶＥ  ＶＥＮＴＩＮＧ  ＡＮＤ  ＲＥＭＯＶＡＢＬＥ  ＬＥＮＳ」と題する２０１５年１０月９日に出願された米国仮出願第６２／２３９，７４０号に対する優先権を主張するものであり、この出願は、参照によりその全体が本明細書に組み込まれ、本明細書の一部とする。
【０００２】
本開示のいくつかの実施形態は、受動的に通気された頭部装着支持体に関し、より具体的には、レンズの効果的な通気を可能にするように構成されているフレーム及びレンズを有する、アイウェアなどの頭部装着支持体に関し、いくつかの実施形態は、１つ以上の取り外し可能なレンズを有する、アイウェアなどの頭部装着支持体に関し、より具体的には、眼鏡及びゴーグルを含むがそれらに限定されない異なる構造及び／又は機能を有する頭部装着支持体に設置され得る取り外し可能なレンズを有する、アイウェアなどの頭部装着支持体に関する。
【背景技術】
【０００３】
各種のアイウェア製品は、数ある欠陥の中で、不十分な通気（装着者の不快及び視覚障害をもたらし得る）、不十分な保護（例えば、アイウェアの側方部分において）、並びに不十分な弾道耐衝撃性などの様々な欠点を伴って利用可能である。
【発明の概要】
【０００４】
本明細書に記載される例示的な実施形態は、いくつかの特徴を有し、これらの特徴のいずれの１つも、それらの望ましい属性に対して不可欠、又は全面的に役割を果たすものではない。特許請求の範囲を制限することなく、有利な特徴のいくつかをここに要約する。それらの特徴及び構造が、眼鏡及びゴーグルなどのアイウェアの実施形態と関連して以下に説明される一方で、それらの特徴及び構造が、いずれの頭部装着支持体（すなわち、装着者の視野において１つ以上のレンズを支持し得る頭部装着物品）でも実装されることを理解されたい。他の頭部装着支持体の例としては、ヘルメット、フェイスマスク、バラクラバ帽、及びブリーチングシールドが挙げられるが、これらに限定されない。
【０００５】
第１の態様では、装着されるときに使用者の顔に隣接する後面、及び後面とは反対側の前面を有するレンズを含むアイウェアが提供される。アイウェアは、レンズと接触するように構成されている複数の接触点を備えるフレームを含む。アイウェアは、フレームに取り付けられる少なくとも１つのつるを含む。アイウェアは、フレーム及び少なくとも１つのつるに取り付けられる保持アセンブリを含み、保持アセンブリは、レンズが複数の接触点においてフレームと接触するように、フレームにレンズを留め付けるように構成されている。レンズがアイウェアにおいて留め付けられるとき、レンズの上縁及びフレームの下縁は、接触点の間で離間されて、レンズの通気を可能にし、フレームから離間されている上縁の全長は、レンズの上縁の弦全長の少なくとも２０％である。接触点間のレンズの後面は、レンズの後面の後方延伸部を越えて突出距離分延伸し、突出距離は、約４ｍｍ以下である。
【０００６】
第１の態様のいくつかの実施形態では、接触点のうちの１つ以上は、レンズがアイウェアにおいて留め付けられるときに、レンズを構造的に支持するように構成されている取り付け点を備える。第１の態様のいくつかの実施形態では、フレームから離間されている上縁の連続全長は、レンズの上縁の弦全長の少なくとも５０％である。更なる実施形態では、フレームから離間されている上縁の全長は、レンズの上縁の弦全長の８０％以下である
。
【０００７】
第１の態様のいくつかの実施形態では、突出距離は、０以下である。第１の態様のいくつかの実施形態では、突出距離は、レンズの中心厚さの３．２倍以下である。第１の態様のいくつかの実施形態では、装着されるときに、レンズの上縁とフレームの下縁との間で使用者の眼からの直通経路がない。第１の態様のいくつかの実施形態では、後方延伸部は、レンズの上縁の全長の少なくとも半分の上方でフレームと交差しない。第１の態様のいくつかの実施形態では、装着されるときに、使用者の眼からフレームの縁への視角は、約４８度以上である。第１の態様のいくつかの実施形態では、通気角は、水平線上で０度よりも大きい。
【０００８】
第１の態様のいくつかの実施形態では、アイウェアは、少なくとも約１５０フィート／秒の速度を有する０．２５インチボールの弾道衝撃に耐えるように構成されている。第１の態様のいくつかの実施形態では、アイウェアは、少なくとも約６４０フィート／秒の速度を有する、０．１５口径の円筒状面取り縁片の弾道衝撃に耐えるように構成されている。第１の態様のいくつかの実施形態では、レンズの下縁は、フレームと接触しない。
【０００９】
第１の態様のいくつかの実施形態では、レンズは、アイウェアに加えて、ゴーグルにおいて留め付けられるように構成されており、ゴーグルは、装着者の視野においてレンズを支持するように適合されているレンズ支持体であって、レンズを受容し、かつ適所にレンズを留め付けるように構成されているチャネルを有する、レンズ支持体と、レンズ支持体の前面に取り付けられる肉盛層であって、使用中に装着者の頭部に押し付けられるように構成されている、肉盛層と、を含む。
【００１０】
第２の態様では、レンズと、レンズと接触するように構成されている１つ以上の接触点を備えるフレームであって、レンズを装着者の視線に位置付けるように構成されている、フレームと、フレームにヒンジ式に取り付けられるつると、を含む、アイウェアが提供される。アイウェアはまた、フレーム及びつるに取り付けられる保持アセンブリを含み、保持アセンブリは、レンズが複数の接触点においてフレームと接触するように、フレームにレンズを留め付けるように構成されている。レンズがアイウェアにおいて留め付けられるとき、レンズの上縁及びフレームの下縁は、接触点の間で離間されて、レンズの通気を可能にする。アイウェアが真っ直ぐ見られるとき、接触点の間のレンズの上縁とフレームの下縁との間の間隙が視認可能でないように、フレームの前面及びレンズの上縁によって形成される通気角は、０以上である。
【００１１】
第２の態様のいくつかの実施形態では、保持アセンブリは、少なくとも１つのつるがフレームの後で折り畳まれるとき、少なくとも１つのつるから独立して作動可能であるように構成されているドアを備える。更なる実施形態では、保持アセンブリは、保持アセンブリがフレームにレンズを留め付けるとき、係止受け部を通して保持アセンブリに挿入されるように構成されている突出部を更に備える。更なる実施形態では、つるがフレームの後の折り畳まれた位置から延伸位置まで移行するとき、保持アセンブリのドアは、開放から閉鎖まで移行して、フレームにレンズを留め付けるように構成されている。
【００１２】
第２の態様のいくつかの実施形態では、アイウェアは、レンズの反対側の側縁に取り付けられるように構成されている少なくとも２つの取り付け点を更に含む。第２の態様のいくつかの実施形態では、アイウェアは、フレームの中点において取り付け点を更に含む。第２の態様のいくつかの実施形態では、アイウェアは、フレームによって形成される２つの側壁の間に形成される開口部を備える取り付け点を更に含む。
【００１３】
第３の態様では、レンズを含むアイウェアキットが提供される。キットはまた、レンズ
を受容するように適合されている眼鏡レンズ支持体、及び眼鏡レンズ支持体に取り付けられるつるを有する、眼鏡フレームを含む。キットはまた、装着者の視野においてレンズを支持するように適合されているレンズ支持体であって、レンズを受容し、かつ適所にレンズを留め付けるように構成されているチャネルを有するレンズ支持体と、レンズ支持体の後面に取り付けられる肉盛層であって、使用中に装着者の頭部に押し付けられるように構成されている肉盛層と、を有するゴーグルフレームを含む。レンズが眼鏡フレーム及びゴーグルフレームによって代替的に支持されるように構成されるように、レンズは、眼鏡フレームとゴーグルフレームとの間で相互交換可能である。
【００１４】
第３の態様のいくつかの実施形態では、眼鏡フレームは、ユニタリーレンズが眼鏡フレームに留め付けられるときに、ユニタリーレンズと接触するように構成されている１つ以上の接触点を更に備える。第３の態様のいくつかの実施形態では、２つ以上の接触点の間で、眼鏡フレームの後面は、レンズの後面の後方延伸部を越えて後方に突出距離分延伸し、突出距離は、約４ｍｍ以下である。更なる実施形態では、レンズが眼鏡フレームに留め付けられるとき、レンズの上縁及び眼鏡レンズ支持体の下縁は、２つ以上の接触点の間で離間されて、レンズの通気を可能にする。更なる実施形態では、フレームから離間されている上縁の全長は、レンズの上縁の弦全長の少なくとも２０％である。
【００１５】
第３の態様のいくつかの実施形態では、眼鏡フレームが真っ直ぐ見られるとき、接触点の間のレンズの上縁とフレームの下縁との間の間隙が視認可能でないように、レンズが眼鏡フレームに留め付けられるとき、フレームの前面及びレンズの上縁によって形成される通気角は、０以上である。
【００１６】
第３の態様のいくつかの実施形態では、眼鏡フレームに留め付けられるレンズ又はゴーグルフレームに留め付けられるレンズを備えるアイウェアは、少なくとも約１５０フィート／秒の速度を有する０．２５インチボールの弾道衝撃に耐えるように構成されている。第３の態様のいくつかの実施形態では、眼鏡フレームに留め付けられるレンズ又はゴーグルフレームに留め付けられるレンズを備えるアイウェアは、少なくとも約６４０フィート／秒の速度を有する、０．１５口径の円筒状面取り縁片の弾道衝撃に耐えるように構成されている。
【００１７】
第３の態様のいくつかの実施形態では、２つ以上の接触点の間で、眼鏡フレームの後面は、レンズの後面の後方延伸部を越えて後方に突出距離分延伸し、突出距離がレンズの中心厚さの約３．２倍以下である。更なる実施形態では、２つ以上の接触点の間で、眼鏡フレームの後面は、レンズの後面の後方延伸部を越えて後方に突出距離分延伸し、突出距離はレンズの中心厚さ以下である。第３の態様のいくつかの実施形態では、レンズは、ユニタリーレンズを備える。
【図面の簡単な説明】
【００１８】
図面を通して、参照番号は、参照された要素の間の対応関係を示すために再使用され得る。図面は、本明細書に記載される例示的な実施形態を図解するために提供され、本開示の範囲を制限することを意図されない。
【００１９】
【図１Ａ】アイウェアの例示的な実施形態の前方斜視図を図解する。
【図１Ｂ】アイウェアの例示的な実施形態の前方斜視図を図解する。
【図１Ｃ】アイウェアの例示的な実施形態の前方斜視図を図解する。
【００２０】
【図２Ａ】フレームへの取り外し可能なレンズの取り付けを実証するための図１Ａの例示的なアイウェアの図を図解する。
【図２Ｂ】フレームへの取り外し可能なレンズの取り付けを実証するための図１Ａの例示的なアイウェアの図を図解する。
【図２Ｃ】フレームへの取り外し可能なレンズの取り付けを実証するための図１Ａの例示的なアイウェアの図を図解する。
【図２Ｄ】フレームへの取り外し可能なレンズの取り付けを実証するための図１Ａの例示的なアイウェアの図を図解する。
【００２１】
【図３Ａ】アイウェアのレンズとフレームとの間の間隙を支持されずに形成しているレンズの一部を有するアイウェアの例示的な実施形態の正面立面図を図解する。
【図３Ｂ】アイウェアのレンズとフレームとの間の間隙を支持されずに形成しているレンズの一部を有するアイウェアの例示的な実施形態の正面立面図を図解する。
【００２２】
【図４Ａ】図３Ａに図解される例示的なアイウェアの部分上面図を図解する。
【００２３】
【図４Ｂ】図３Ｂに図解される例示的なアイウェアの部分側面図を図解する。
【００２４】
【図５Ａ】通気角及び照明角を図解するための使用者の眼に関するレンズ及びフレームの部分図を図解する。
【図５Ｂ】通気角及び照明角を図解するための使用者の眼に関するレンズ及びフレームの部分図を図解する。
【００２５】
【図６】レンズ用フレームの側方受動的保持機構の部分図を図解する。
【００２６】
【図７】レンズ用フレームの中線の近くの受動的保持機構の部分図を図解する。
【００２７】
【図８】フレームの側方部分上の能動的保持機構を有するフレームに位置しているレンズの図を図解する。
【００２８】
【図９Ａ】フレームにレンズを留め付けるフレームの能動的保持機構のいくつかの図を図解する。
【図９Ｂ】フレームにレンズを留め付けるフレームの能動的保持機構のいくつかの図を図解する。
【図９Ｃ】フレームにレンズを留め付けるフレームの能動的保持機構のいくつかの図を図解する。
【図９Ｄ】フレームにレンズを留め付けるフレームの能動的保持機構のいくつかの図を図解する。
【００２９】
【図１０Ａ】本明細書に記載されるレンズの実施形態と共に使用されるように構成されている例示的なゴーグルのいくつかの図を図解する。
【図１０Ｂ】本明細書に記載されるレンズの実施形態と共に使用されるように構成されている例示的なゴーグルのいくつかの図を図解する。
【図１０Ｃ】本明細書に記載されるレンズの実施形態と共に使用されるように構成されている例示的なゴーグルのいくつかの図を図解する。
【図１０Ｄ】本明細書に記載されるレンズの実施形態と共に使用されるように構成されている例示的なゴーグルのいくつかの図を図解する。
【００３０】
【図１１Ａ】アイウェアフレーム、ゴーグルフレーム、並びにアイウェアフレーム及びゴーグルフレームの両方と互換性を有するレンズを有する、例示的なキットの正面立面図並びに前方斜視図をそれぞれ図解する。
【図１１Ｂ】アイウェアフレーム、ゴーグルフレーム、並びにアイウェアフレーム及びゴーグルフレームの両方と互換性を有するレンズを有する、例示的なキットの正面立面図並びに前方斜視図をそれぞれ図解する。
【００３１】
【図１２Ａ】眼鏡及びゴーグルに組み付けられる図１１Ａ及び１１Ｂの例示的なキットの図を図解する。
【図１２Ｂ】眼鏡及びゴーグルに組み付けられる図１１Ａ及び１１Ｂの例示的なキットの図を図解する。
【００３２】
【図１３】レンズとヘルメットの鍔との間の間隙を支持されずに形成しているレンズの一部を有するヘルメットの図を図解する。
【発明を実施するための形態】
【００３３】
本説明が様々な実施形態の具体的な詳細を述べる一方で、本説明が例示的であるに過ぎず、いかようにも制限として解釈されるべきではないことが理解されよう。更に、特定の実施形態が、ユニタリーレンズ眼鏡、部分的な若しくは完全な軌道を有する二重レンズ眼鏡、及びゴーグルなどの特定のタイプのアイウェアシステムの文脈において開示されるか、又は示され得るが、本開示の任意の要素が、任意のタイプのアイウェアシステムにおいて使用され得ることが理解される。その上、本開示の任意の要素は、任意の頭部装着支持体（すなわち、装着者の視野において１つ以上のレンズを支持し得る頭部装着物品）において使用され得る。他のタイプの頭部装着支持体の例としては、ヘルメット、フェイスマスク、バラクラバ帽、及びブリーチングシールドが挙げられるが、これらに限定されない。更に、本明細書に開示される実施形態が、取り外し可能かつ取り替え可能なレンズを有するアイウェアと共に使用され得るが、アイウェアが取り外し可能又は取り替え可能なレンズ提供することを意図される実施形態も想到される。いくつかの実施形態が、「円筒状」又は「球状」前部表面及び後部表面（それぞれ、球又は円筒の表面の一部に実質的に一致する表面）を有するレンズで図解されるが、いくつかの実施形態では、異なる表面幾何形状を有するレンズが使用され得ることが当業者によって理解されよう。更に、装着時位置における多くの正面立面形状及び配向のレンズが、本明細書に図解されるものを超えて使用され得ることが理解されよう。具体的には、レンズの前部表面又は後部表面のいずれかは、トロイダル又は他の非球状幾何形状の表面に一致し得る。本明細書で開示及び／若しくは図解される任意の特徴、構造、機能、材料、方法、又は工程は、単独で、又は本明細書の他で開示及び／若しくは図解される任意の他の特徴、構造、機能、材料、方法、若しくは工程と共に、又はそれらの代わりに使用され得る。本明細書の各部分は、相互交換可能であることが想到され、どの部分も不可欠でも必須でもない。
【００３４】
概して、眼鏡及びゴーグルなどのアイウェアを含む、レンズを有する頭部装着支持体は、装着者に所望の光学機能性を提供するように構成されている。これらの頭部装着支持体（アイウェアなど）は、装着者の直前、及び側面に沿って周囲から、光、風、塵などを遮断するために使用され得る。しかしながら、使用中、レンズ（複数可）は、レンズの内部表面（例えば、使用者の顔に最も近い表面）上で、結露を通して曇って、装着者の可視性を低下させ、及び／又はレンズの光学性能を劣化させ得る。レンズ上の結露を減少させるために、頭部装着支持体は、能動的又は受動的手段を使用して通気されるように構成され得る。通気は、レンズの内部表面又は領域において、及びレンズと使用者との間で気流を増加させて、それによって結露を減少させ得る。受動的通気システムにおいて、孔又は他の通路は、空気が頭部装着支持体の一方側（例えば、外部領域）から他方側（例えば、内部領域）に移動して、気流を増加させる経路を提供する、フレーム及び／又はレンズなどの頭部装着支持体の構造に導入され得る。しかしながら、これは、光が使用者の眼へのそのような通路を通過することを可能にする、及び／又は孔を通る粒子、塵、若しくは破片が眼の回りで使用者と接触することを可能にする望ましくない効果を有し得る。
【００３５】
本明細書に開示されるアイウェアなどの頭部装着支持体のいくつかの例は、レンズとフ
レームとの間の１つ以上の経路を提供することによって、及び／又は平滑な後方輪郭を提供することによって、受動的通気を提供して、レンズの後面上で空気の層流を可能にするように構成されている。ある特定の実装では、１つ以上の受動的通気経路は、装着者の眼に頭部装着支持体のフレームとレンズとの間の蛇行性経路を提供する（例えば、それらは外部領域から装着者の眼に直通経路を提供しない）。このように、本明細書に提供される頭部装着支持体は、通気を提供する一方で、不必要な光、風、粒子、若しくは他の破片を減少させるか、又はそれらが使用者の眼と接触することを防止し得る。
【００３６】
いくつかの実施形態では、フレーム及びレンズを含むアイウェアなどの頭部装着支持体が提供され、レンズとフレームとの間の間隙が、空気が流動して、受動的通気を提供することを可能にするように、レンズの大部分がフレームによって支持されていない。間隙は、蛇行性経路がフレームとレンズとの間にある（例えば、直通経路が使用者の眼に対するフレームとレンズとの間にない）ように構成されている。加えて、頭部装着支持体の前方から見られるとき、間隙は、観察者に視認可能でない場合がある。加えて、光が頭部装着支持体の頂点から使用者の眼に伝わるための直通経路がないように、頭部装着支持体は、使用者の顔の近くにレンズを位置付けるように構成され得る。例えば、下へ伝わる光は、レンズを通過して、使用者の眼に到達するもので、最初にレンズを通過することなしには使用者の眼に到達しない。いくつかの実施形態では、頭部装着支持体のフレームは、フレームの後面の一部が、後方レンズ面の後方延伸部から後方に延伸しないように構成され得る。ある特定の実施形態では、頭部装着支持体のフレームは、フレームの後面の一部が後方レンズ面の後方延伸部から後方に延伸するように構成され得、延伸部は、約４ｍｍ以下、約３．８ｍｍ以下、約３．５ｍｍ以下、約３．３ｍｍ以下、約３ｍｍ以下、約２．６ｍｍ以下、約２．２５ｍｍ以下、又は約２ｍｍ以下である。ある特定の実施形態では、延伸部は、レンズの中心厚さの約３．２倍以下、レンズの中心厚さの約３倍以下、レンズの中心厚さの約２．５倍以下、レンズの中心厚さの約２倍以下、レンズの中心厚さの約１．５倍以下、レンズの中心厚さの約１倍以下、又はレンズの中心厚さの約０．６７倍以下であり得る。後方延伸部を超えて延伸しないか、又は後方延伸部を超えて一定の距離未満で延伸するフレームの一部は、レンズの弦全長の少なくとも２５％、レンズの弦全長の少なくとも４０％、レンズの弦全長の少なくとも５０％、レンズの弦全長の少なくとも２５％及び／若しくは約８０％以下、レンズの弦全長の少なくとも３５％及び／若しくは約７０％以下、又はレンズの弦全長の少なくとも４５％及び／若しくは約６０％以下である全長を有し得る。いくつかの実施形態では、この構造及び／又は他の構造は、レンズと使用者の顔との間で空気の層流を生成し得、それは、使用者の顔に向かって後方方向にレンズを超えて延伸するフレームを有する頭部装着支持体と比較して通気を増加させて、それによって空気の流れに乱流を導入し得る。そのような頭部装着支持体に関して、典型的には、より少ない空間が装着者の顔とレンズとの間にあるので、この特徴は、装着者の顔の形状に概して一致するアイウェア及びフェイスマスクなどの頭部装着支持体に特に有利であり得る。より少ない空間がある場合、気流は減少されて、レンズの減少した通気をもたらし、装着者の顔から離れて一般的に位置付けられるレンズと比較してレンズ上の結露を潜在的に増加させ得る。
【００３７】
いくつかの実施形態では、眼鏡及び／又はゴーグルと共に使用されるように構成されている相互交換可能なレンズを有する、アイウェアなどの頭部装着支持体が提供される。例えば、眼鏡のフレームはセミリムレスであり得、レンズは、能動的及び受動的保持システムを使用してフレームに留め付けられ得る。眼鏡は、前方フレームが装着者の顔と接触しないように、装着者の頭部上の適所に眼鏡を留め付けるためのつるを含み得る。この同じレンズは、眼鏡のフレームから取り外され得、ゴーグルフレームにおいて留め付けられ得る。いくつかの実施形態では、ゴーグルは、完全な軌道を有し得、ヘッドバンドを使用してそれを適所に留め付けるように、使用者の顔と接触するように構成され得る。
例示的な眼鏡
【００３８】
図１Ａ〜１Ｃは、眼鏡１００などのアイウェアの例示的な実施形態の前方斜視図を図解する。図１Ａは、ユニタリーレンズ１０８を有する眼鏡１００を図解する一方で、図１Ｂ及び１Ｃは、二重レンズ１０８ａ、１０８ｂを有する眼鏡１００を図解する。図１Ａ及び１Ｂは、部分的な軌道（例えば、眼鏡１００のフレーム１０４が、レンズ１０８の周りに完全に延伸するというわけではない）を有する眼鏡１００を図解する一方で、図１Ｃは、完全な軌道（例えば、眼鏡のフレーム１０４は、レンズ１０８ａ、１０８ｂの周りに完全に延伸する）を有する眼鏡１００を図解する。本明細書に記載される受動的通気システム及び相互交換可能なレンズ設計は、ユニタリーレンズ、二重レンズ、部分的な軌道、及び完全な軌道を有する眼鏡、並びに、限定されないが、ゴーグルなどの他のタイプのアイウェアの実施形態に適用され得る。その上、本明細書に記載される受動的通気システム及び相互交換可能なレンズ設計は、ヘルメット、フェイスマスク、バラクラバ帽、及びブリーチングシールドなどの限定されない、他のタイプの頭部装着支持体に適用され得る。
【００３９】
図１Ａに関して、眼鏡１００は、一対のつる１０２ａ、１０２ｂ、フレーム１０４、保持構成要素１０６、及びレンズ１０８を備える。眼鏡１００は、例えば、図３Ａ〜５Ｂに示されるように、フレーム１０４及びレンズ１０８が使用者の眼の上に間隙を形成する（例えば、縦面又は正中矢状面と概して平行である面であって、使用者の眼並びにフレーム１０４及びレンズ１０８と交差する面の周りに）ように構成されている。図解されるように、前方から眼鏡１００を見るとき、これらの間隙は視認可能でない。このように、眼鏡１００は、光学ブラインド通気システムを提供し、それは、真っ直ぐ眼鏡１００を見るときにすぐに視認可能でない通気システムを指し得る。レンズ１０８が取り外されて、取り替えられ得るように、眼鏡１００は構成され得る。しかしながら、いくつかの実施形態では、レンズ１０８は、取り外し可能ではない又は取り替え可能ではない場合がある。眼鏡１００は、使用中に装着者の鼻の上に載置されるようにレンズ１０８に取り付けられる鼻当て１１０を含み得る。
【００４０】
レンズ１０８又はレンズ１０８ａ、１０８ｂ、１０２ｂは、扁平レンズである（例えば、曲線でない）場合がある。レンズ１０８又はレンズ１０８ａ、１０８ｂ、１０２ｂは、垂直面（例えば、円筒状又は截頭円錐レンズ幾何形状）に沿って、線形である（曲線でない）場合がある。いくつかの実施形態では、視線がレンズの前面及び後面に実質的に垂直であるように、レンズ１０８又はレンズ１０８ａ、１０８ｂは、縦軸と実質的に平行に整合され得る。いくつかの実施形態では、レンズの法線が角度Φによって真っ直ぐな正規視線からオフセットされるように、レンズ１０８又はレンズ１０８ａ、１０８ｂは、下向きに角度がついている。オフセット角Φは、約０°よりも大きく及び／若しくは約３０°よりも小さい、又は約１０°よりも大きく及び／若しくは約２０°よりも小さい、又は約１５°であり得るが、これらの範囲外の他の角度Φも使用され得る。様々な円筒形状のレンズが使用され得る。横軸に沿った曲率半径が実質的に均一であるように、レンズ１０８若しくはレンズ１０８ａ、１０８ｂの前面及び／又は後面は、直円柱の表面に一致し得る。楕円柱は、水平方向において不均一な曲率を有するレンズを提供するように使用され得る。例えば、レンズは、その中間縁よりは、その側縁の近くにおいて、曲線である場合がある。いくつかの実施形態では、斜（非直）円柱は、例えば、垂直方向において角度のあるレンズを提供するように使用され得る。
【００４１】
いくつかの実施形態では、眼鏡１００は、従来の中央に配向された二重レンズ配置に対して側方に回転される位置において取り付けられた傾角レンズ１０８又は傾角レンズ１０８ａ、１０８ｂを組み込む。傾角レンズは、装着者の頭部に対する配向を有するものとして考えられ得、それは、中央に配向されたレンズを有する従来の二重レンズ眼鏡から始めることによって、及びこめかみにおいて内側にフレームを曲げて、頭部の側面の周りを包むことによって達成されるものとする。眼鏡１００が装着されるとき、レンズの側縁は、
装着者のこめかみの周りを大きく包み、かつこめかみに近接して、著しい側方の眼の視野を提供する。
【００４２】
包む程度は、審美的スタイリングの理由のために、飛散する破片からの眼の側方の保護のために、又は周辺の光の遮断のために、望ましい場合がある。包むことは、円筒状又は球状レンズなどの締まった水平方向の曲率（高ベース）のレンズを利用することによって、及び／又は中央に配向された二重レンズに対して側方にかつ後方に傾角した位置に各レンズを取り付けることによって達成され得る。同様に、大きい傾斜（ｒａｋｅ）又は垂直傾斜は、審美的理由のために、及び装着者の眼の下から光、風、塵、又は他の破片を遮断するために望ましい場合がある。一般に、「傾斜（ｒａｋｅ）」は、装着時配向において、正規視線が非垂直な角度においてレンズ１０８に対する垂直接線に当たるレンズの条件を説明すると理解されよう。
【００４３】
レンズ１０８又はレンズ１０８ａ、１０８ｂは、前面及び後面、並びにそれらの間の厚さを提供され得、厚さは、水平方向、垂直方向、又は方向の組み合わせに沿って変動し得る。いくつかの実施形態では、レンズ１０８又はレンズ１０８ａ、１０８ｂは、横軸若しくは縦軸に沿って、又は何らかの他の方向に沿って変動する厚さを有し得る。いくつかの実施形態では、レンズ１０８又はレンズ１０８ａ、１０８ｂの厚さは、中間縁に近位の最大厚さから側縁における比較的より小さい厚さまで、必ずしも線形ではないが、滑らかに先細になる。レンズ１０８又はレンズ１０８ａ、１０８ｂは、横軸に沿って先細の厚さを有し得、光学的補正のために偏心化され得る。いくつかの実施形態では、レンズ１０８又はレンズ１０８ａ、１０８ｂは、光学的補正を提供するように構成される厚さを有し得る。例えば、レンズ１０８又はレンズ１０８ａ、１０８ｂの厚さは、レンズ１０８又はレンズ１０８ａ、１０８ｂの側方区分に近づくレンズ１０８又はレンズ１０８ａ、１０８ｂの中心点において最も厚い点から先細になり得る。いくつかの実施形態では、側方区分におけるレンズ１０８又はレンズ１０８ａ、１０８ｂの平均厚さは、中心帯におけるレンズ１０８又はレンズ１０８ａ、１０８ｂの平均厚さより小さい場合がある。いくつかの実施形態では、中心帯における少なくとも１点におけるレンズ１０８又はレンズ１０８ａ、１０８ｂの厚さは、側方区分のうちの少なくとも１つの内にある任意の点において、レンズ１０８又はレンズ１０８ａ、１０８ｂの厚さよりも大きい場合がある。
【００４４】
当該技術分野において周知であり、かつ透明又は様々な色で利用可能であり得る、金属、複合物、又は比較的剛性の成形熱可塑性材料などの様々な材料が、フレーム１０４の製造において利用され得る。いくつかの実施形態では、フレーム１０４は、プラスチックであり得、アセテート、ポリカーボネート、又はナイロンを含み得る。フレームは、比較的軽量で、弾性で、弾道衝撃に抵抗するように構成され得る。
【００４５】
保持構成要素１０６は、フレーム１０４にレンズ１０８を取り外し可能に留め付けるように構成され得、それによって、装着者が眼鏡１００のレンズ１０８を交換することを可能にする。例えば、レンズ１０８は、破損する又は汚れる場合、異なるレンズと交換され得、レンズ１０８は、使用条件に従い、異なる光学特性を有する異なるレンズと交換され得る。保持構成要素１０６は、レンズ１０８への衝撃（例えば、弾道衝撃）の場合に、フレーム１０４上でレンズ１０８を保持するように構成され得る。
【００４６】
保持構成要素１０６は、レンズ１０８を係合するための、１つ以上の静止若しくは受動保持機構及び／又は１つ以上の移動可能若しくは能動的保持機構を備え得る。静止又は受動保持機構では、係合は、レンズ１０４が一部のフレーム１０４に対して嵌合される際に、フレーム１０４及びレンズ１０８の相互係止構造の間で起こり得る。例えば、レンズ１０８の縁に沿った突出部は、他の又は移動可能な構成要素がフレーム１０４に対するレンズ１０８の移動の１つ以上の自由度を制限することを要求することなく、フレーム１０４
の溝に嵌合し得る。移動可能又は能動的保持機構では、係脱位置から係合位置まで係止構造を移動することによって、レンズ１０８がフレーム１０４に対して嵌合された後に、係合は起こり得る。移動可能又は能動的保持機構において、別個の構成要素は、レンズ１０８及びフレーム１０４に対して移動されて、フレーム１０４に対してレンズ１０８を留め付け得る。
【００４７】
受動的及び／又は能動的保持機構（複数可）１０６は、レンズ１０４とフレーム１０８との間の境界の任意の部分に沿って配置され得る。図解された実施形態では、以下に更に詳述されるように、ユニタリーレンズ１０８は、受動的側方コネクタ、受動的中間コネクタ、及び能動的側方コネクタを有する。いくつかの実施形態では、図解されるように、受動的及び能動的保持機構１０６の間で、レンズ１０８及びフレーム１０４は、互いと接触しないように構成され得る。レンズ１０８とフレーム１０４との間の空間は、レンズ１０８の受動的通気を提供し得る。同様に、受動的及び能動的保持機構１０６の間で、フレームの後面の後方延伸部は、レンズ１０８の後面の延伸部の後方に延伸しないように構成され得るか、又はこの後方延伸部の後方に延伸するように構成され得、後方延伸部は、約４ｍｍ以下、約３．８ｍｍ以下、約３．５ｍｍ以下、約３．３ｍｍ以下、約３ｍｍ以下、約２．６ｍｍ以下、約２．２５ｍｍ以下、又は約２ｍｍ．以下である。ある特定の実施形態では、延伸部は、レンズ１０８の中心厚さの約３．２倍以下、レンズ１０８の中心厚さの約３倍以下、レンズ１０８の中心厚さの約２．５倍以下、レンズ１０８の中心厚さの約２倍以下、レンズ１０８の中心厚さの約１．５倍以下、レンズ１０８の中心厚さの約１倍以下、又はレンズ１０８の中心厚さの約０．６７倍以下であり得る。いくつかの実施形態では、レンズ１０８の後面の構成、並びにフレーム１０４の後方位置及び／又は形状は、協働して、レンズ１０８の後面全体で空気の層流を容易にして、レンズ１０８を通気することを補助し得る。
【００４８】
図１Ｂ及び１Ｃに関して、眼鏡１００は、２つのレンズ１０８ａ及び１０８ｂを含み得、各レンズ１０８ａ、１０８ｂは、空気が空間中を流れることを可能にする、レンズ１０８ａ、１０８ｂの上縁とフレーム１０４との間に空間を有するように構成されている。加えて、フレーム１０４の後面が、レンズ１０８ａ、１０８ｂの後面の後方延伸部の後方に延伸しないように、又はこの後方延伸部の後方に所定の距離分より少なく延伸するように構成され得る点において、フレーム１０４は、図１Ａに関して記載される眼鏡１００に類似して構成され得る。図１Ｃに関して、間隙が、軌道などのフレーム１０４の周りの様々な位置のいずれかにおいて、レンズ１０８ａ、１０８ｂとフレーム１０４との間にあるように、フレーム１０４及びレンズ１０８ａ、１０８ｂは構成され得る。例えば、間隙は、例えば、図３Ａ〜５Ｂに示されるように、装着者の眼の上に、装着者の眼の下に、及び／又は装着者の眼の側方に存在し得る。更に、完全な軌道を有する眼鏡１００に関して、フレーム１０４の後面は、レンズ１０８ａ、１０８ｂの後面の後方延伸部の後方に延伸しないように、又はこの後方延伸部の後方に所定の距離分より少なく延伸するように構成され得、レンズの後方延伸部は、任意の方向に（例えば、垂直に上に、垂直に下に、水平に、又はこれらの任意の組み合わせで）作製され得る。
【００４９】
眼鏡若しくはゴーグルの二重レンズ又はユニタリーレンズのいずれの実施形態においても、レンズは、フレーム１０４のレンズ保持機構１０６によって係合され得る１つ以上の表面、縁、又は構造を備え得る。レンズ保持機構（複数可）１０６は、本明細書に記載されるものなどの１つ以上の能動的及び／又は受動的係合機構を備え得る。静止又は受動レンズ保持機構は、フレーム１０４によって支えられる、相補的な保持表面と、概してフレーム１０４から逸れる、スロット、切欠、突起、又は開口の縁などのレンズ１０８の保持表面との間に形成されて、締り嵌めを提供し得る。
【００５０】
ある特定の実施形態では、レンズ１０８は、少なくともその側面及び中心部において、
係合並びに／又は支持され得る。例えば、ユニタリーレンズ１０８は、中線の左側の第１の保持構造及び中線の右側の第２の保持構造を使用して、フレーム１０４に留め付けられ及び／又はフレーム１０４によって支持され得る。保持構造１０６は、本明細書に開示されたクリップ又は他の機構のいずれも含み得る。保持構造１０６は、フレーム１０４内に（例えば、眼鏡の垂直中線若しくは中間面の上、又はその近くになど、フレームの中心の３分の１内に）位置され得る。複数の保持構造１０６（例えば、少なくとも２つ、３つ、４つ、５つ、６つ、又は７つ以上）は、目標とされる性能に少なくとも部分的に依存して使用され得る。様々な実装では、保持構造１０６は、フレーム１０４の長さに沿って、又は対称面越しに鏡像（解剖学的な中線若しくは中間面）として、対称的に離間し得る。
【００５１】
眼鏡１００は、装着者がレンズ上の結露を引き起こし得る状況を経験し得る場合、眼鏡１００が塵又は他の破片に供され得る場合、及び／又は眼鏡１００が弾道衝撃を経験し得る場合など、軍事的な設定を含む様々な設定において有用であり得る。眼鏡１００によって提供される通気は、眼鏡１００の内部上の曇りを減少又は防止し得る。いくつかの実施形態では、防曇塗料は、眼鏡１００の内部に（例えば、レンズ１０８に）塗布されて、湿気曇りを減少又は防止し得る。様々なタイプの防曇塗料（例えば、吸湿塗料、シアー湿気（moisture sheer）塗料、ウレタンに基づく塗料、及び／又は処理されたポリシロキサンに基づく塗料）が、使用され得る。
【００５２】
図２Ａ〜２Ｄは、フレーム１０４へのレンズ１０８の取り付けを実証するための図１Ａの例示的な眼鏡１００の図を図解する。レンズ１０８は、対応する保持機構１０６ａ、１０６ｂ、１０６ｃと嵌合するように構成されている側方及び中間係合区分２０８ａ、２０８ｂ、２０８ｃを備える。いくつかの実施形態では、レンズ１０８は、フレーム１０４の対応する第２の保持機構（例えば、終端凹部１０６ａ、１０６ｂ、１０６ｃ）と連結され（例えば、それらに着座され）得る１つ以上の第１の保持機構（例えば、突起２０８ａ、２０８ｂ、２０８ｃ）を含み得る。更に、レンズ１０８は、上縁又は境界を備え得る。使用中に、突起２０８ａ〜２０８ｃがフレーム１０４の凹部１０６ａ〜１０６ｃに嵌合されるとき、レンズ１０８の上縁又は境界は、突起２０８ａ〜２０８ｃの周りを除いて、フレーム１０４から離間されるように構成され得る。このように、いくつかの実施形態では、そのような配設は、形成された空間を通して受動的通気を提供する一方で、レンズ保持及び安定化も提供し得る。いくつかの実施形態では、フレーム１０４は、構造用支持体を提供するためのレンズ１０８と接触する特徴を含み、これらの接触点は、保持機構１０６ａ〜１０６ｃに加えて存在する。そのような実施形態では、レンズ１０８の上縁又は境界は、保持機構１０６ａ〜１０６ｃ及びこれらの接触点の周りを除いて、フレーム１０４から離間されるように構成され得る。
【００５３】
保持機構１０６ｃは、能動的保持機構であり得る。保持機構１０６ｃは、回転ドア２０２及び突出部２０４を含み得、突出部は、フレーム１０４上で係止受け部２０６を通過するように構成されている。突出部２０４は、フレーム１０４の側面上で係止受け部２０６と係合し得る。突出部２０４は、ドア２０２に取り付けられる突出要素を備え得、ドア２０２は、レンズ１０８が保持機構１０６ｃ内に自由に位置付けられるか又は保持機構１０６ｃから自由に取り外され得る第１の位置と、レンズ１０８が保持機構１０６ｃ内に係止される第２の位置との間で、回転可能に移動可能である。
【００５４】
突起２０８ａ、２０８ｂが、保持機構１０６ａ、１０６ｂの対向する壁によって形成される対応する凹部に着座されるように、保持機構１０６ａ、１０６ｂは、概して、レンズ１０８の突起２０８ａ、２０８ｂを受容する受動的機構であり得る。使用中、レンズ１０８は、突起２０８ａ、２０８ｂを保持機構１０６ａ、１０６ｂの対応する凹部又は開口部に押し付けることによって、適所に摺動され得る。このように、レンズ１０８は、概して、フレーム１０４の他の部分とも接触することなくフレーム１０４において、保持機構１
０６ａ、１０６ｂに嵌合され、保持機構１０６ａ、１０６ｂ内に保持され得る。このように、いくつかの実施形態では、そのような配設は、保持機構１０６ａ〜１０６ｃと接触しておらず、かつフレーム１０４と接触していないレンズ１０８の部分の間に形成される間隙を通して、受動的通気を提供し得る。
【００５５】
フレーム１０４上に嵌合されるとき、側方に延伸する突起を備えるレンズ１０８の第１の係合部分２０８ａは、保持機構１０６ａの対向する壁によって形成されるフレーム１０４上の溝又はスロット内に着座され得る。同様に、角度のある突起を備えるレンズ１０８の第２の係合部分２０８ｂは、保持機構１０６ｂ内の対向する壁によって形成されるフレーム１０４上で溝内に着座され得る。第１及び第２の係合部２０８ａ、２０８ｂは、異なる構成を有し得、例えば、凹部であり得る。保持機構は、異なる構成を有し得、例えば、突起であり得る。レンズ１０８のこれらの受動保持機構及び対応する特徴は、凹部、表面外形、切抜き、突起、スロット、開口、及び他のそのような表面構造を含む様々な構成を有し得、様々な形状及び／又はサイズにおいて形成され得る。保持機構１０６ａ、１０６ｂは、単一の開口として示されているが、複数の開口としても形成され得る。
【００５６】
保持機構１０６ａ、１０６ｂ、１０６ｃは、フレーム１０４に沿った任意の点において配置され得る。このように、３つの保持機構１０６ａ、１０６ｂ、１０６ｃが、眼鏡１００の実施形態において使用されるが、フレーム１０４に沿って配置される２つ、４つ、又は５つ以上の保持機構を備える眼鏡１００の他の実施形態が、構築され得る。その上、保持機構１０６ａ、１０６ｂが受動的機構として記載されている一方で、保持機構１０６ａ、１０６ｂの一方又は両方が、能動的機構であり得ることを理解されたい。例えば、保持機構１０６ａ、１０６ｂの一方又は両方は、保持機構１０６ｃに類似の構造及び／又は機能性を有し得る。
【００５７】
いくつかの実施形態では、図解されるように、能動的保持機構１０６ｃのドア２０２は、レンズ１０８、フレーム１０４、及びつる１０２ｂに対して回転可能である。しかしながら、任意の他の移動形態が、回転の代わりに、又は回転に加えて使用され得る。いくつかの実施形態では、保持機構１０６ｃは、フレーム１０４及び／若しくはつる１０２ｂに対して枢動又は摺動するように構成され得る。いくつかの実施形態では、保持機構１０６ｃは、フレーム１０４の異なる部分に、枢動可能に連結され得る。しかしながら、図解された実施形態において、保持機構１０６ｃは、フレーム１０４及びつる１０２ｂに対して回転して、つる１０２ａ、１０２ｂが、保持機構１０６ｃを係脱することなく内に折り畳まれることを可能にするように構成されている。
【００５８】
受動的保持機構１０６ａ、１０６ｂは、溝がフレーム１０４の一対の壁フランジによって少なくとも部分的に画定されるように構成され得る。いくつかの実施形態では、保持機構１０６ｂは、眼鏡１００の中線においてレンズを整合して、留め付けるように構成されているガイドスロットを含み得る。例えば、図２Ｂから図２Ｃへの移行は、突出部２０８ｂを保持機構１０６ｂと係合することによって、整合され、少なくとも部分的に留め付けられているレンズ１０８を図解する。これは、図２Ｃから図２Ｄへの移行によって図解されるように、能動的保持機構１０６ｃが、ドア２０２を開放位置から閉鎖位置まで移行することによって適所に係止される用意ができているように、レンズ１０８の突出部２０８ｃを適切に整合するという追加された効果を有する。この閉鎖位置では、突起２０４は、突出部２０８ｃの移動を制限することによって、レンズ１０８の移動を制限する。このように、レンズ１０８は、受動的及び能動的保持機構を使用してフレーム１０４に留め付けられ得る。
受動的通気を有する眼鏡の例
【００５９】
図３Ａ及び３Ｂは、眼鏡３００のレンズ３０８とフレーム３０４との間の間隙３０９ａ
、３０９ｂを支持されずに形成しているレンズ３０８の一部を有する眼鏡３００などの例示的なアイウェアの正面立面図を図解する。眼鏡３００は、眼鏡１００の特徴及び構造を組み込み得る。図解された実施形態において示されるように、間隙３０９ａは、フレーム３０４の第１の側に形成され得、間隙３０９ｂは、フレーム３０４の第２の側に形成され得る。しかしながら、間隙３０９ａ及び３０９ｂが、単一の連続間隙に組み合わされ得ることを理解されたい。間隙３０９ａ、３０９ｂは、空気がレンズ３０８の周りに流れることを可能にするように構成され得る。眼鏡３００の内部と外側区域との間の空気のこの交換は、レンズ３０８の後面上の結露を減少させる。間隙３０９ａ、３０９ｂは、空気が眼鏡３００の内部と周囲区域との間を通過することを可能にする。間隙３０９ａ、３０９ｂは、使用者の眼において、又はその近くに（例えば、縦面又は正中矢状面と平行な面であって、使用者の眼と交差する面によって画定される区域よりも上に）位置され得る。図解された実施形態に示されるように、間隙３０９ａ、３０９ｂの各々は、その長さを通して連続している。しかしながら、間隙３０９ａ及び／又は３０９ｂが、それらの長さを通して連続していないように、間隙３０９ａ、３０９ｂはより多くの下位間隙に更に分割され得ることを理解されたい。例えば、接触点３０６ａ、３０６ｂ、及び／又は３０６ｃの間の追加の接触点がある場合、フレーム３０４及びレンズ３０８が、様々な位置において互いから離間しているように構成され得るように、これらの下位間隙は形成され得る。いくつかの実施形態では、一方又は両方の間隙３０９ａ、３０９ｂは、２つの下位間隙、３つの下位間隙、４つの下位間隙、５つの下位間隙、６つの下位間隙、又はそれ以上に分割され得る。いくつかの実施形態では、一方又は両方の間隙３０９ａ、３０９ｂは、少なくとも２つの下位間隙、少なくとも３つの下位間隙、少なくとも４つの下位間隙、少なくとも５つの下位間隙、少なくとも６つの下位間隙、又はそれ以上に分割され得る。いくつかの実施形態では、間隙３０９ａ、３０９ｂは、レンズ３０８の上縁の全長の約半分を含む。いくつかの実例では、レンズ３０８の上縁の全長は、レンズ３０８の上縁の弦長であり得、間隙３０９ａ、３０９ｂの全長は、間隙３０９ａ、３０９ｂの弦長であり得る。例えば、レンズ３０８の上縁は、約１７０ｍｍの弦全長を有し得、間隙３０９ａ、３０９ｂの弦全長は、約８５ｍｍであり得、各間隙３０９ａは、約４２．５ｍｍの連続弦長を有する。間隙（例えば、下位間隙を含む）の全長又は範囲は、これよりも大きい場合もあれば、小さい場合もある。例えば、レンズ３０８の弦全長に対する間隙３０９ａ、３０９ｂの弦全長は、少なくとも約２５％、少なくとも約４０％、少なくとも約５０％、少なくとも約２５％かつ約８０％以下、少なくとも約３５％かつ約７０％以下、又は少なくとも約４５％かつ約６０％以下であり得る。いくつかの実施形態では、レンズ３０８の弦全長に対する間隙３０９ａ及び／若しくは間隙３０９ｂなどの少なくとも１つの間隙の連続又は不断の弦長（すなわち、間隙が分裂していない、又は壊れていないように、任意の下位間隙が存在しない）は、少なくとも約１２．５％、少なくとも約２０％、少なくとも約２５％、少なくとも約１２．５％かつ約４０％以下、少なくとも約１７．５％かつ約３５％以下、又は少なくとも約２２．５％かつ約３０％以下であり得る。いくつかの実施形態では、間隙３０９は、レンズ３０８の上縁の周りで分散され得る。いくつかの実施形態では、レンズ３０８の上縁における間隙３０９、及び眼鏡３００の底部におけるレンズ３０８と使用者の顔との間の間隙は、協働して、その底部から眼鏡３００の内部領域に新鮮な空気を入れ、かつ眼鏡３００の内部領域からの空気をその頂点から出す煙突効果をもたらし得る。いくつかの実例では、レンズ３０８の上縁の全長は、レンズ３０８の上縁の弧長などの周囲長さ（すなわち、周辺に沿って測定されるもの）であり得、間隙３０９ａ、３０９ｂの全長は、間隙３０９ａ、３０９ｂの弧長などの周囲長さであり得る。したがって、上記の比率及び寸法のいずれも、周囲長さに対してのものであり得ることを理解されたい。「全長」という用語が使用される実例では、弦長又は周囲長さのいずれかが使用され得ることを理解されたい。
【００６０】
図３Ａ及び３Ｂでは、フレーム３０４は、間隙３０９ａ、３０９ｂが見えることを遮断するように働くので、概して、間隙３０９ａ、３０９ｂを視界から隠す。このように、間
隙３０９ａ、３０９ｂは、約レンズの幅以上である距離から真っ直ぐ見られるときに視認可能でない間隙を含む、光学ブラインド通気システム又は通気システムの一部である。いくつかの実施形態では、眼鏡３００から約１フィートほど離れて真っ直ぐ見られるとき、間隙３０９ａ、３０９ｂは視認可能でない。いくつかの実施形態では、間隙３０９ａ、３０９ｂが主として光学ブラインドである通気システムの一部であるように、約レンズの幅以上である距離から真っ直ぐ見られるときに、間隙３０９ａ、３０９ｂの一部のみが視認可能であり得る。例えば、間隙３０９ａ、３０９ｂの視認可能な部分は、レンズ３０８の上縁３０７とフレーム３０４の下縁との間で画定される総通気面積の約１０％以下であり得る。このように、約レンズの幅以上である距離から真っ直ぐ見られるときに、総通気面積の９０％が視認不可能となるであろう。いくつかの実施形態では、間隙３０９ａ、３０９ｂの視認可能な部分は、レンズ３０８の上縁３０７とフレーム３０４の下縁との間で画定される総通気面積の約２０％以下、約３０％以下、約４０％以下であり得る
【００６１】
眼鏡３００は、フレーム３０４がレンズ３０８と接触する複数の接触点を有し得る。これらの接触点は、構造用支持体を提供し得、取り付け点と称され得る。接触点３０６ａ〜３０６ｄは、レンズ３０８又はレンズ３０８ａ、３０８ｂに構造用支持体を提供するので、取り付け点であり得る。間隙３０９ａ、３０９ｂは、接触点の間でいくらかの下位間隙で構成され得る。間隙の全長（例えば、間隙３０９ａ又は３０９ｂの長さ）は、間隙３０９ａ又は３０９ｂを構成する各下位間隙の長さの合計であり得る。
【００６２】
図４Ａは、図３Ａに図解される例示的な眼鏡３００の部分上面図を図解する。図４Ａは、レンズ３０８の突出部３０５と相互に作用する受動保持機構１０６ｂを図解する。レンズ３０８がフレームに留め付けられるとき、レンズ３０８の上縁３０７はフレーム３０４から離間している。間隙３０９ａ、３０９ｂは、この図において、より明確に見られ得る。
【００６３】
図４Ｂは、図３Ｂに図解される例示的な眼鏡３００の部分側面図を図解する。しかしながら、以下の開示は、ユニタリーレンズの実施形態及び二重レンズの実施形態の両方に適用する。したがって、本開示は、全体として眼鏡を記載するよりもむしろ、使用者の視線に関して提供される。
【００６４】
図４Ｂは、レンズ３０８ｂが眼鏡３００に留め付けられるとき、フレーム３０４とレンズ３０８ｂとの間の間隙３０９ｂを図解する。レンズ３０８の後面の仮想延伸部の働きをするレンズ３０８ｂの後面の後方延伸部３１０（例えば、面、線、曲面、又は曲線）が画定され得る。この後方延伸部３１０は、仮想面、線、曲線、又は曲面を画定し得る。フレーム３０４の後面は、距離（Ｄｆ）を有する後方延伸部３１０の後方に延伸するように構成され得、距離（Ｄｆ）は、約４ｍｍ以下、約３．８ｍｍ以下、約３．５ｍｍ以下、約３．３ｍｍ以下、約３ｍｍ以下、約２．６ｍｍ以下、約２．２５ｍｍ以下、又は約２ｍｍ以下である。同様に、距離（Ｄｆ）は、レンズ中心厚さの点から画定され得る。例えば、レンズ３０８は、少なくとも約１．２５ｍｍ及び／若しくは約３．５ｍｍ以下、少なくとも約１．５ｍｍ及び／若しくは約３ｍｍ以下、又は少なくとも約１．９ｍｍ及び／若しくは約２．７ｍｍ以下である中心厚さを有し得る。フレーム３０４の後方延伸部（Ｄｆ）は、レンズ３０８の中心厚さの約３．２倍以下、レンズ３０８の中心厚さの約３倍以下、レンズ３０８の中心厚さの約２．５倍以下、レンズ３０８の中心厚さの約２倍以下、レンズ３０８の中心厚さの約１．５倍以下、レンズ３０８の中心厚さの約１倍以下、又はレンズ３０８の中心厚さの約０．６７倍以下であり得る。いくつかの実施形態では、フレーム３０４の後面は、後方延伸部３１０の後方に延伸しない（例えば、後方延伸部３１０は、フレーム３０４と交差しない、又はＤｆ≦０）ように構成されている。後方延伸部３１０は、概して、レンズ３０８の後面の形状を延伸し、レンズ３０８は、扁平であり得、あるいは曲線形状、例えば、非限定的に、球状形状、直円柱、円錐台形状、トロイド、楕円柱、楕
円体、回転楕円体、他の非球面、又は本明細書に他に記載されるいくらかの他の３次元形状のいずれかと一致し得る。後方延伸部３１０を超えてフレーム３０４の延伸部を制限することによって、眼鏡３００は、気流が層流を形成することを可能にすることによって、結露を減少させ得る。これは、乱気流を引き起こし、気流を減少させ、かつそれによって眼鏡の防曇特性を減少させ得る、レンズの後方延伸部の後方に著しく延伸するフレームと対比され得る。
【００６５】
図５Ａ及び５Ｂは、通気角及び照明角を図解するための使用者の眼に関するレンズ５０８及びフレーム５０４の部分図を図解する。例えば、図５Ａは、使用者の眼より上のフレーム５０４の断面を図解する。その位置におけるフレーム５０４の位置及び構成は、使用者の眼への蛇行性経路がある（例えば、光が、最初にレンズ５０８を通過することなく、使用者の眼に伝わる直通経路がない）ように構成され得る。これは、望ましくない迷光を減少させるか、又は迷光が使用者の視覚に入ることを防止するのに有利であり得る。使用者の眼からフレーム５０４の縁への角度は、照明角ΘＡと称され得る。いくつかの実施形態では、照明角は、約４８度以下であり得る。いくつかの実施形態では、照明角は、少なくとも約４０度及び／若しくは約５５度以下、少なくとも約４４度及び／若しくは約５２度以下、又は少なくとも約４６度及び／若しくは約５０度以下であり得る。光が、最初にレンズ５０８を通って伝わらずに、使用者の眼より上から使用者の眼に直線で伝わることができないように、フレーム５０４及びレンズ５０８は、装着者の顔に相対的に近いように構成され得る。上記のように、レンズ５０８との相対的な関係（例えば、光学ブラインドであり得る受動的通気システムを形成する間隙の存在）などのフレーム５０４の特徴は、ユニタリーレンズ眼鏡、二重レンズ眼鏡、部分的な軌道を有する眼鏡、完全な軌道を有する眼鏡、及びゴーグルを含むがこれらに限定されない任意のタイプのアイウェアにおいて使用され得る。加えて又は代替的に、レンズ５０８との相対的な関係などのフレーム５０４の特徴は、ヘルメット、フェイスマスク、バラクラバ帽、及びブリーチングシールドを含むがこれらに限定されない任意の他のタイプの頭部装着支持体と共に使用され得る。フレーム５０４がレンズ５０８の周辺全体に延伸する実施形態では、照明角はまた、水平線より下の角度、並びに縦面又は正中矢状面と平行な面に対して一時的に延伸する角度を指し得る。フレーム５０４は、次に装着者に望ましい量の周辺視を可能にする照明角を提供するように構成され得る。例えば、フレーム５０４及びレンズ５０８は、横中心線上で中心合わせされる約２０ｍｍ以上の半径を有し、かつレンズ５０８において測定される縦中心線から約３２ｍｍである円を少なくとも包含し得る視野を、各々の眼に提供するように構成され得る。
【００６６】
図５Ｂは、使用者の眼より上のフレーム５０４の断面のクローズアップ図を図解する。レンズ５０８とフレーム５０４との間の間隙は、少なくとも約１ｍｍ幅（例えば、ｄ１及びｄ２は約１ｍｍである）ように構成されている。いくつかの実施形態では、間隙ｄ１及びｄ２は、少なくとも約０．５ｍｍ及び／又は約３ｍｍ以下、少なくとも約０．７ｍｍ及び／又は約２ｍｍ以下、少なくとも約０．８ｍｍ及び／又は約１．２ｍｍ以下であり得る。通気角（ΘＶ）は、フレーム５０４及びレンズ５０８によって形成される間隙を通る直通経路に対する水平線からの角度として画定され得る。いくつかの実施形態では、通気角は少なくとも約３２度である。様々な実装では、通気角は０より大きい場合がある（例えば、正数の角度が、水平線から上へ垂直に測定される角度である場合）。通気角は、少なくとも約５度及び／若しくは約６０度以下、少なくとも約１０度及び／若しくは約５０度以下、又は少なくとも約２０度及び／若しくは約４０度以下であり得る。この角度が正数であるので、破片、粒子、及び塵は、使用者の眼から離れて方向付けされることになる。同様に、この角度が正数であるので、間隙を通る使用者の眼までの直通経路がない。
【００６７】
レンズ５０８及びフレーム５０４によって形成される通気角並びに照明角は、協働して、受動的通気を増加させ、使用者の眼において迷光及び微粒子を減少させる。間隙は、レ
ンズ５０８の後面にわたって気流を増加させ得る一方で、フレーム５０４及びレンズ５０８は、使用者の眼を光及び破片から保護する機能を果たす。
例示的な取り外し可能なレンズ保持
【００６８】
図６は、レンズ６０８用フレーム６０４の側方受動的保持機構６０６の部分図を図解する。本明細書に記載されるように、レンズ６０８は、突出部６０２を含み得、突出部６０２は、図解された眼鏡などのアイウェアのフレーム６０４において形成される受け部６０６内に着座するように構成されている。この側方保持機構は、整合して、アイウェアにおいてレンズ６０８を留め付ける機能を果たし、図９Ａ〜９Ｄに関して本明細書に記載される単一の能動的保持機構を可能にし得る。図７は、レンズ７０８用フレーム７０４の中線の近くの受動的保持機構７０６の部分図を図解する。本明細書に記載されるように、レンズ７０８は、角度のある突出部７０２を含み得、突出部７０２は、フレーム７０４内に形成される溝７０６内に位置するように構成されている。この中線保持機構は、追加の支持体を提供して、レンズ７０８を整合する（レンズが使用中で、レンズが設置されるとき）。図８は、フレーム８０４の側方部分８０６上の能動的保持機構を有するフレーム８０４に位置しているレンズ８０８の図を図解する。本明細書に記載されるように、受動保持機構は、突出部８０２が適切に位置して、図９Ａ〜９Ｄに関して本明細書に記載される能動的保持機構が、フレーム８０４に対してレンズ８０８を適所に係止することを可能にするように、レンズ８０８を整合する機能を果たす。
【００６９】
フレームは、レンズと接触する１つ以上の接触点を含み得る。これらの接触点のうちの１つ以上は、取り付け点、又はフレームがレンズに（例えば、締り嵌めを通して）構造用支持体を提供する点であり得る。取り付け点は、能動的取り付け点（例えば、能動的保持機構）又は受動的取り付け点（例えば、受動的保持機構）であり得る。フレームは、１つ以上の受動的取り付け点及び／又は１つ以上の能動的取り付け点を含み得る。ある特定の実装では、取り付け点は、レンズがアイウェアのフレームと接触する位置でのみあり得る。様々な実装では、本明細書に他で記載されるように、接触点間のフレームの部分は、フレームと接触せず、アイウェアのために受動的通気を提供するようにフレームとレンズの間に間隙を形成する。
例示的な能動的保持機構
【００７０】
図９Ａ〜９Ｄは、フレーム９０４にレンズ９０８を留め付けるフレーム９０４の能動的保持機構のいくつかの図を図解する。能動的保持機構は、ドア９１２、突起９１４、及びドアが枢動するか、そうでなければ移動することを可能にするヒンジを含み、ドアは、係止されるときに審美的に満足な構成を提供するように、フレーム９０４及びつる９０２を整合させる外形を有するように構成されている。レンズ９０８は、図９Ｂから図９Ｃまでの移行において図解されるように、本明細書に記載される受動保持機構に適切に着座されるときに、適所に摺動又は移動する突出部９１０を含む。一旦レンズ９０８が適所にある状態になると、ドア９１２は、突起９１４が受け部９１６と係合するように、開放状態から閉鎖状態に移行し得る。これは、適所に係止される能動的保持機構の背面図を示す図９Ｃから図９Ｄまでの移行において示される。
【００７１】
能動的保持機構が適所に係止されるとき、つる９０２は、折り畳まれた状態（例えば、フレーム９０４とほぼ平行）から延伸状態（例えば、フレーム９０４とほぼ垂直）まで自由に回転し得る。この構成は、二重ヒンジ作用を提供し、ドア９１２は、それが周りに枢動する第１のヒンジを有し、つるは、それが周りに枢動する第２のヒンジを有する。このように、ドア９１２が閉鎖されるか、又は適所に係止されるとき、つる９０２は、能動的保持機構を離脱することなく回転し得る。しかしながら、つる９０２が延伸位置にあるとき、ドアは開放することを防止される。このように、能動的保持機構は、レンズ９０８がフレーム９０４から偶発的に取り外されることを防止するように、係止され得る。同様に
、ドア９１２が開放されており、かつつる９０２が内に折り畳まれるとき、延伸位置につる９０２を枢動させることが、ドア９１２を閉鎖する機能を果たすことになる。このように、つる９０２は、レンズ９０８を留め付けるために適所に能動的保持機構を係止することを補助するために使用され得る。
【００７２】
能動的保持機構の多くの他の実施形態が、同様に可能である。例えば、参照により各々のその全体が本明細書に組み込まれる、米国特許第４，７３０，９１５号、同第５，３８７，９４９号、及び同第７，３４７，５４５号、並びに米国公開第２０１３／００７７０４２号に開示されたシステムを使用することによってなど、装着者が交換可能な構成要素、つる、並びに／又はレンズを使用してアイウェアを迅速に修正することを可能にする様々なシステムが設計された。本明細書に開示されたいくつかの実施形態では、支持体は、レンズ上の３点以上で取り替え可能又は取り外し可能なレンズに提供されて、眼鏡又はゴーグルの弾道抵抗及びレンズ安定性を高め得る。支持体の特徴のいくつかの例は、参照によりその全体が本明細書に組み込まれる、２０１１年６月７日に発行された米国特許第７，９５４，９４２号において示される。支持体の特徴の更なる例は、参照により各々のその全体が本明細書に組み込まれる、２０１２年６月５日に発行された米国特許第８，１９２，０１５号、２０１３年６月２５日に発行された米国特許第８，４６９，５１０号、及び２０１４年１１月１１日に発行された米国特許第８，８８１，３１６号において示される。
【００７３】
本明細書に記載されるいくつかの実施形態は、フレームに対してレンズを有利に留め付けて保持する一方で、概して、望ましい光学特性と共に受動的通気能力を提供し得る。例えば、レンズは、レンズの成形時幾何形状を概して保つ一方で、迷光が使用者の眼を入ることを防止する方式で、フレームに留め付けられ及び／又はそれによって支持され得る。これは、通気を提供するためにフレームとレンズとの間の間隙を提供する間に達成され得る。本明細書に開示されたいくつかの実施形態は、レンズ及び／又はつるが装着者によって容易に取り外され及び取り替えられ得る一方で、装着者がレンズを取り付けることを可能にし、優れた弾道抵抗及びレンズ安定性を提供し得る、眼鏡又はゴーグルを有利に提供し得る。
例示的なゴーグル
【００７４】
図１０Ａ〜１０Ｄは、本明細書に記載されるレンズの実施形態と共に使用されるように構成されている例示的なゴーグル１０００のいくつかの図を図解する。ゴーグル１０００は、ゴーグルフレーム１００４などの支持構造内のレンズ１００８を受容するように構成されている。レンズ１００８は、装着者の左右の眼の視野の両方にわたって延伸する円弧状のユニタリーレンズを備える。レンズ１００８は、フレーム１００４によって支持されており、フレーム１００４は、レンズ１００８を囲むように構成されており、使用者の頭部と接触するように構成されている。レンズ１００８及びフレーム１００４の両方は、鼻を受容するための下方凹部窪み又は鼻当て開口部と共に構成されている。フレーム１００４の後部表面は、発泡体構成要素１００５又は他の圧縮性材料で被覆されており、装着者の顔と接触するように適合されている。更に、装着者がゴーグルを頭部上に嵌合及び装着することができるように、弾性ひも１００１は、フレーム１００４の対向する側又は端に接続される。
【００７５】
装着されるときに、ゴーグル１０００の後部に配置される発泡体構成要素１００５又は他の圧縮性材料の表面は、装着者の顔と接触する。この装着者接触面は、装着者の顔の左右に一致するように適合されている水平面において曲率半径を有する。
【００７６】
使用中、装着者は、堅固にではあるが心地よくゴーグルフレーム１００４を適所に留め付けるために、顔の上にゴーグルフレーム１００４を位置付けて、頭部の後ろの周りで弾
性ひも１００１を調節し得る。発泡体構成要素１００５は、装着者の顔と接触して、ゴーグル１０００が装着者の顔の表面に一致することを可能にすることを意図される。ゴーグルフレーム１００４は、剛性又は半剛性であり得る。ゴーグルフレーム１００４は、レンズ１００８が容易に挿入及び取り外されることを可能にするように柔軟かつ可撓性であり得る。ゴーグルフレーム１００４は、レンズ１００８へのガイドを提供するために、ゴーグルフレーム１００４の内部の周りに溝を含み得る。レンズ１００８は、溝構造内に位置付けられ得、溝構造は、使用の中に適所にレンズを留め付けるように受動保持機構の働きをする１つ以上の特徴を含む。ゴーグルフレーム１００４は、所望される場合、レンズ１００８なしで使用者の頭部上に装着され得る。
【００７７】
図１０Ｄは、ゴーグル１０００の断面側面図を図解する。示されるように、ゴーグル１０００のレンズ１００８は、ゴーグルフレーム１００４において取り付けられ、ゴーグルフレーム１００４が有する特徴は、それが、ゴーグルフレームにおいてそれを留め付ける機能を果たす眼鏡フレームにおいて留め付けられることを可能にする。例えば、レンズ１００８は、ゴーグルフレーム１００４の受動的保持機構１００６内に位置するように構成されている突出部１０１０を含み得る。
【００７８】
いくつかの実施形態では、相互交換可能なレンズ構造１００８は、レンズ１００８がゴーグルフレーム１００４に留め付けられる、レンズ１００８と保持機構１００６との間の少なくとも１つの相互接続点又は係合区分１０１０を提供し得る。相互交換可能なレンズ構造１０１０は、１つ以上の静止構造を備え得、静止構造は、ゴーグル１００４内の取り付け位置においてレンズ１００８を保持するため組み合わせて使用され得る。ゴーグルフレーム１００４を有する相互交換可能なレンズ構造１００８の他の例は、参照によりその全体が本明細書に組み込まれる、「Ｅｙｅｗｅａｒ  ｗｉｔｈ  Ｉｎｔｅｒｃｈａｎｇｅａｂｌｅ  Ｌｅｎｓ  Ｍｅｃｈａｎｉｓｍ」と題された、２０１４年８月１２日に発行された米国特許第８，８００，０６７号において提供される。
【００７９】
いくつかの実施形態では、ゴーグルフレーム１００４は、受動的通気システムを組み込み得る。例えば、ゴーグルフレーム１００４は、フレーム１０４、３０４と関連して上述されたものと類似する間隙などの構造を含み得る。いくつかの実施形態では、フレーム１００４は、間隙が見えることを遮断するように働くので、概して、間隙を視界から隠すことができる。このように、間隙は、適度な距離（例えば、ゴーグル１０００から離れて約１フィートほど）から真っ直ぐ見られるときに視認可能でない間隙を含む、光学ブラインド通気システム又は通気システムの一部であり得る。いくつかの実施形態では、間隙３０９ａ、３０９ｂが主として光学ブラインドである通気システムの一部であるように適度な距離から真っ直ぐ見たとき、間隙の一部のみが視認可能であり得る。
例示的な頭部装着支持体
【００８０】
受動的通気、受動保持機構、能動的保持機構などの実施形態及びレンズに関する上述の一切の特徴は、ヘルメット、フェイスマスク、バラクラバ帽、及びブリーチングシールドを含むがこれらに限定されない他のタイプの頭部装着支持体において使用され得る。図１４は、レンズ１３０８と共に使用されるように構成され、上述の受動的通気特徴を組み込む例示的なヘルメット１３００の斜視図を図解する。レンズ、ヘルメット１３００が、ヘルメットフレーム１３０４の額部１３０５などの支持構造内のレンズ１３０８を受容するように構成されていることを理解されたい。レンズ１３０８は、装着者の左右の眼の視野の両方にわたって延伸する円弧状のユニタリーレンズを備える。レンズ１３０８は、フレーム１３０４によって支持されており、フレーム１３０４は、少なくともレンズ１３０８の上部分の周りに延伸するように構成されており、使用者の頭部を囲むように構成されている。レンズ１３０８は、鼻を受容するための下方凹部窪み又は鼻当て開口部と共に構成されている。フレーム１３０４の内部表面は、圧縮性材料で被覆され得、装着者の頭部と
接触するように適合されている。
【００８１】
装着されるときに、ヘルメット１３００の内部表面に配置される圧縮性材料の表面は、装着者の顔を含む装着者の頭部と接触する。この装着者接触面は、装着者の顔の左右に一致するように適合されている水平面において曲率半径を有する。
【００８２】
鍔１３０５などの額部の一部などのヘルメットフレーム１３０４の一部は、レンズ１３０８が容易に挿入及び取り外されることを可能にする柔軟かつ可撓性の部分を含み得る。額部１３０５は、レンズ１３０８へのガイドを提供するために、額１３０４の内部の周りに溝を含み得る。レンズ１３０８は、溝構造内に位置付けられ得、溝構造は、使用中に適所にレンズを留め付けるように受動保持機構の働きをする１つ以上の特徴を含む。ヘルメットフレーム１３０４は、所望される場合、レンズ１３０８なしで使用者の頭部上に装着され得る。
例示的な頭部装着支持体キット
【００８３】
いくつかの実例では、本明細書に記載されるレンズは、様々な異なる頭部装着支持体と相互交換可能に使用され得、各頭部装着支持体は、ヘルメット、フェイスマスク、バラクラバ帽、ブリーチングシールド、並びに眼鏡及びゴーグルなどのアイウェアを含むがそれらに限定されない異なる構造並びに機能を有する。例えば、いくつかの実例では、同じレンズは、ヘルメット、ゴーグル、及び／又は眼鏡と相互交換可能に使用され得る。特定のレンズは、２つ以上の異なる頭部装着支持体の任意の他の組み合わせで利用され得る。これは、装着者が、特定の活動に従って様々な異なる頭部装着支持体を用いて単レンズを利用することを有益に可能にし得る。例えば、装着者は、自転車に乗るとき、サイクリングヘルメットと共にレンズを利用し、自転車から降りるとき、眼鏡上でレンズを切り換え得る。いくつかの実例では、装着者は、眼鏡から、及びスキー用の雪ヘルメット、ゴーグル、又はバラクラバ帽上で、レンズを後で切り換え得る。
【００８４】
図１１Ａ及び１１Ｂは、眼鏡フレーム１１０１、ゴーグルフレーム１１０３、及び眼鏡フレーム及びゴーグルフレームの両方と互換性を有するレンズ１１０２を有する、例示的なキットの正面立面図並びに前方斜視図をそれぞれ図解する。図解されるように、レンズ１１０２は、ユニタリーレンズであり得るか、又は２つ以上のレンズであり得る。本明細書に説明されるように、同じレンズ１１０２は、相補的であるが異なる保持機構を使用して、眼鏡フレーム１１０１及びゴーグルフレーム１１０３に留め付けられるように構成され得る。いくつかの実施形態では、眼鏡フレーム１１０１及びゴーグルフレーム１１０３の各々は、レンズ１１０２なしで独立して装着され得る。図１２Ａ及び１２Ｂは、眼鏡１２０１及びゴーグル１２０２に組み付けられる図１１Ａ及び１１Ｂの例示的なキットの図を図解する。いくつかの実施形態では、眼鏡１２０１は、眼鏡フレーム１１０１にレンズ１１０２を留め付けることによって形成され得、ゴーグル１２０２は、ゴーグルフレーム１１０３にレンズ１１０２を留め付けることによって形成され得、眼鏡フレーム１１０１及びゴーグルフレーム１１０３は、眼鏡１２０１及びゴーグル１２０２を形成するとき、キットからのいかなる構成要素も共有しない。例えば、眼鏡１２０１を形成するために、レンズ１１０２は、眼鏡フレーム１１０１に留め付けられる。次いで、ゴーグル１２０２を形成するために、レンズ１１０２は、眼鏡フレーム１１０１から取り外されて、ゴーグル１２０２を形成するための眼鏡フレーム１１０１からいかなる追加の構成要素も含むことなく、ゴーグルフレーム１１０３に留め付けられ得る。この同じ機能性は、ゴーグル１２０２をまず形成した後に眼鏡１２０１を形成するときに適用し得る。この相互交換可能なレンズ１１０２は、眼鏡フレーム１１０１及びゴーグルフレーム１１０３が、購入されることを可能にし、レンズが壊れる、又は異なる機能性が所望されるときに、各々のレンズを互換性を有するレンズと取り替えることができることを可能にする。このように、キットは、レンズが所望の機能性をもはや提供しないときに取り替えられる必要がないアイ
ウェアを提供し得る。加えて、キットは、本明細書に記載される受動的通気機能性及び弾道性能をアイウェアに提供する。
例示的な弾道性能
【００８５】
本明細書に記載されるアイウェアのいくつかの実施形態は、望ましくかつ有利な受動的通気機能性を提供し得る。加えて又は代替的に、開示されたアイウェアは、増加したレンズ安定性及び弾道抵抗を提供し得る。これは、レンズ及びフレームと共に実装される保持システムに少なくとも部分的に起因する場合がある。例えば、レンズの下縁がフレームから浮遊することを可能にすることによって、レンズ上の衝撃は、衝撃への鼓膜の応答に少なくとも部分的によって、レンズに衝撃を変形及び吸収させ得る。これは、レンズが粉砕する（レンズがレンズの周囲全体にしっかりと取り付けられた場合にそうなり得る）よりもむしろ変形することを可能にし得る。受動的通気を提供する間隙はまた、望ましい弾道性能を提供する機能を果たし得る。
【００８６】
本明細書に開示された眼鏡のいくつかの実施形態は、レンズが、弾道事象に応答してフレームから一時的に及び／又は永久に実質的に分離されることに抵抗することを補助し得る。眼鏡のいくつかの実施形態は、レンズに伝達される力が、眼鏡のフレームに実質的に完全に伝達されるようにされる一方で、レンズとフレームとの間の係合を実質的に維持するように構成され得る。例えば、そのような眼鏡のレンズが破損している（ひびが入っているか、又は欠けている）場合があるが、レンズは、粉砕、又はフレームに対する変位を回避する。この弾道抵抗は、装着者に優れた保護を提供し得る。
【００８７】
いくつかの実施形態では、本明細書に記載されるゴーグル及び眼鏡は、耐衝撃性があり得る。例えば、アイウェアは、例えば戦闘への使用のために、弾道衝撃に抵抗するように構成され得る。フレームは、レンズ上の衝撃の場合にレンズを保持して、レンズが粉砕することなく変形するように構成され得る。能動的保持機構は、本明細書に記載されるように、つるとの相互作用により、レンズ上の衝撃の場合、閉鎖位置に留まるように構成され得る。
【００８８】
いくつかの実施形態では、本明細書に記載される眼鏡などのアイウェアは、Ｏｃｃｕｐａｔｉｏｎａｌ  ａｎｄ  Ｅｄｕｃａｔｉｏｎａｌ  Ｐｅｒｓｏｎａｌ  Ｅｙｅ  ａｎｄ
Ｆａｃｅ  Ｐｒｏｔｅｃｔｉｏｎ  Ｄｅｖｉｃｅｓ規格ＡＮＳＩ／ＩＳＥＡ  Ｚ８７．１−２０１０に関する米国標準規格に一致し得る。例えば、アイウェアは、約１５０フィート／秒で移動する直径６．３５ｍｍ（０．２５インチ）の鋼球からの衝撃に抵抗するように構成され得る。そのような状況では、アイウェアは、使用者の眼とのボールの接触を防止するように構成され得る。同様に、本明細書に開示されるアイウェアは、Ｍｉｌｉｔａｒｙ  Ｃｏｍｂａｔ  Ｅｙｅ  Ｐｒｏｔｅｃｔｉｏｎ（ＭＣＥＰ）システム規格ＭＩＬ−ＰＲＦ−３２４３２（ＧＬ）に関する性能仕様に一致し得る。例えば、アイウェアは、ひび割れるか、折れるか、若しくは粉砕することなく、貫通されることなく、又は１つ以上の断片が外れることなく、など、６４０〜６６０フィート／秒（例えば、約６５０フィート／秒）で、一次レンズへの直角入射で、０．１５口径、５．８５グレイン、Ｔ３７形の弾丸（例えば、円筒状、面取り縁片）からの衝撃に抵抗するように構成され得る。
専門用語
【００８９】
「得る（can）」、「得る（could）」、「得る（might）」、「得る（may）」、「例えば（e.g.）」などの、本明細書で使用される条件を表す言語は、特に別段に記載されない限り、又は使用されるような文脈内で別段に理解されない限り、概して、ある特定の実施形態が含むこと伝達することを意図される一方で、他の実施形態は、ある特定の特徴、要素、及び／又は工程を含まない。したがって、そのような条件を表す言語は、概して、特徴、要素、及び／若しくは工程が、任意の方法で１つ以上の実施形態に要求されること、
又は１つ以上の実施形態が、他の入力若しくは促しの有無にかかわらず、これらの特徴、要素、及び／若しくは工程が、任意の特定事項実施形態に含まれるか、若しくは実行されることになるかどうかを決定するための論理を必然的に含むこと、を意味することを意図されない。「備える（comprising）」、「含む（including）」、「有する（having）」
などの用語は、同義であり、オープンエンドの様式で包含的に使用され、追加の要素、特徴、行為、動作などを排除しない。また、使用されるときに、例えば、一覧において要素のうちの１つ、いくつか、又は全てを連結するために、「又は（or）」という用語が、一覧において要素のうちの１つ、いくつか、又は全てを意味するように、「又は」という用語は、その包括的な意味で（その排他的な意味で）使用される。
【００９０】
「Ｘ、Ｙ、Ｚのうちの少なくとも１つ」という句などの選言的言語は、特に別段に記載されない限り、項目、用語などが、Ｘ、Ｙ、若しくはＺ、又はそれらの任意の組み合わせ（例えば、Ｘ、Ｙ、及び／若しくはＺ）を提示するために概して使用されるような文脈と共に、特に理解される。このように、そのような選言的言語は、ある特定の実施形態が、Ｘのうちの少なくとも１つ、Ｙのうちの少なくとも１つ、又はＺのうちの少なくとも１つが各々存在することを要求することを意味することを概して意図されず、そのことを意味するべきではない。
【００９１】
上記の詳細な説明が、様々な実施形態に適用されるような新規特徴を図示、説明、及び指摘する一方で、図解されるデバイス又はアルゴリズムの形態及び詳細における様々な省略、代替、及び変更が、本開示の趣旨を逸脱することなく行われ得ることが理解され得る。一実施形態において本明細書に開示される任意の構造、特徴、工程、若しくはプロセスは、任意の他の実施形態において、任意の他の構造、特徴、工程、若しくはプロセスとは別に、それらと組み合わせて、又はそれらの代わりに使用され得る。また、本明細書に開示される構造、特徴、工程、又はプロセスは、必須でも不可欠でもなく、いずれも、いくつかの実施形態では省略され得る。本明細書に開示されるある特定の実施形態の範囲は、前述の説明よりもむしろ、添付の特許請求の範囲によって指示される。特許請求の範囲の均等の意味及び範囲内に入る全ての変更が、それらの範囲内に包含されることになる。
【図１Ａ】
2019500068.tif 000003
【図１Ｂ】
2019500068.tif 000004
【図１Ｃ】
2019500068.tif 000005
【図２Ａ】
2019500068.tif 000006
【図２Ｂ】
2019500068.tif 000007
【図２Ｃ】
2019500068.tif 000008
【図２Ｄ】
2019500068.tif 000009
【図３Ａ】
2019500068.tif 000010
【図３Ｂ】
2019500068.tif 000011
【図４Ａ】
2019500068.tif 000012
【図４Ｂ】
2019500068.tif 000013
【図５Ａ】
2019500068.tif 000014
【図５Ｂ】
2019500068.tif 000015
【図６】
2019500068.tif 000016
【図７】
2019500068.tif 000017
【図８】
2019500068.tif 000018
【図９Ａ】
2019500068.tif 000019
【図９Ｂ】
2019500068.tif 000020
【図９Ｃ】
2019500068.tif 000021
【図９Ｄ】
2019500068.tif 000022
【図１０Ａ】
2019500068.tif 000023
【図１０Ｂ】
2019500068.tif 000024
【図１０Ｃ】
2019500068.tif 000025
【図１０Ｄ】
2019500068.tif 000026
【図１１Ａ】
2019500068.tif 000027
【図１１Ｂ】
2019500068.tif 000028
【図１２Ａ】
2019500068.tif 000029
【図１２Ｂ】
2019500068.tif 000030
【図１３】
2019500068.tif 000031
【国際調査報告】
2019500068.tif 000032
2019500068.tif 000033
2019500068.tif 000034
2019500068.tif 000035
2019500068.tif 000036